(57)【要約】【課題】夏場に限らずドレン水使用部にてドレン水を使用することのできるドレン水利用システムを提供する。【解決手段】建物Ｔに備えられたドレン水使用部３と、建物に備えられた機器１から発生するドレン水ＤＷをドレン水使用部に供給するドレン水供給部２と、が備えられ、機器１が、燃料ガスを反応させてエネルギーを取り出し、そのエネルギーの取り出し過程でドレン水が発生するエネルギー機器１Ａ、１Ｂである。【選択図】図１
2018181603.tif 000002
【特許請求の範囲】
【請求項１】
建物に備えられたドレン水使用部と、
建物に備えられた機器から発生するドレン水を前記ドレン水使用部に供給するドレン水供給部と、が備えられ、
前記機器が、燃料ガスを反応させてエネルギーを取り出し、そのエネルギーの取り出し過程でドレン水が発生するエネルギー機器であるドレン水利用システム。
【請求項２】
前記ドレン水供給部には、前記エネルギー機器から排出されるドレン水を貯留可能なドレン水貯留部が備えられている請求項１記載のドレン水利用システム。
【請求項３】
前記エネルギー機器と前記ドレン水使用部とが、屋外空間に配置され、
前記ドレン水供給部が、屋内空間を経由せずに前記エネルギー機器から発生するドレン水を前記ドレン水使用部に供給するように構成されている請求項１又は２記載のドレン水利用システム。
【請求項４】
前記ドレン水貯留部の貯留水を取り出し可能な非常用取水栓が備えられている請求項２記載のドレン水利用システム。
【請求項５】
前記エネルギー機器が、燃料電池である請求項１〜４のいずれか１項に記載のドレン水利用システム。
【請求項６】
前記ドレン水供給部は、前記エネルギー機器から発生するドレン水の全量又は略全量を前記ドレン水使用部に供給するように構成されている請求項１〜５のいずれか１項に記載のドレン水利用システム。
【発明の詳細な説明】
【技術分野】
【０００１】
本発明は、建物に備えられた機器から発生するドレン水を建物で利用するドレン水利用システムに関する。
【背景技術】
【０００２】
この種のドレン水利用システムは、建物に備えられたドレン水使用部と、建物に備えられた機器から発生するドレン水をドレン水使用部に供給するドレン水供給部とを備えており、機器から発生するドレン水をドレン水供給部によりドレン水使用部に供給して使用するように構成されている。
そして、従来、特許文献１に示すように、ドレン水の供給元となる機器を建物の屋内空間に設置された室内空調機（特許文献１中の室内ユニット）とし、ドレン水使用部として建物の外壁面に散水する散水部（特許文献１中の散水配管）を備えたドレン水利用システムが知られている。
【先行技術文献】
【特許文献】
【０００３】
【特許文献１】特開２０１３−１２２３４３号公報
【発明の概要】
【発明が解決しようとする課題】
【０００４】
上記従来のドレン水利用システムでは、夏場の冷房時に室内空調機から発生するドレン水をドレン水使用部としての散水部に供給し、散水部から建物の外壁面にドレン水を散水することで、ドレン水を利用して外壁面を冷却し、水道水の使用を回避しながら室内の冷房負荷を低減することができる。
しかしながら、室内空調機からドレン水が発生するのは冷房運転時のみであるので、ドレン水使用部にてドレン水を使用できるのが、室内空調機にて冷房運転を行う夏場に限られる欠点がある。
【０００５】
この実情に鑑み、本発明の主たる課題は、夏場に限らずドレン水使用部にてドレン水を使用することのできるドレン水利用システムを提供する点にある。
【課題を解決するための手段】
【０００６】
本発明の第１特徴構成は、ドレン水利用システムであって、
建物に備えられたドレン水使用部と、
建物に備えられた機器から発生するドレン水を前記ドレン水使用部に供給するドレン水供給部と、が備えられ、
前記機器が、燃料ガスを反応させてエネルギーを取り出し、そのエネルギーの取り出し過程でドレン水が発生するエネルギー機器である点にある。
【０００７】
つまり、炭化水素等を含む燃料ガスを反応させてエネルギーを取り出し、そのエネルギーの取り出し過程でドレン水が発生する潜熱回収型給湯器や燃料電池等のエネルギー機器からは常時ドレン水が発生する。本構成によれば、このような常時ドレン水が発生するエネルギー機器をドレン水の利用元とし、当該エネルギー機器から発生するドレン水をドレン水供給部にてドレン水使用部に供給するので、室内空調機からドレン水が発生しない夏場以外の時期であってもドレン水使用部にてドレン水を使用することができる。よって、夏場に限らずドレン水使用部にてドレン水を使用することができる。
【０００８】
本発明の第２特徴構成は、前記ドレン水供給部には、前記エネルギー機器から排出されるドレン水を貯留可能なドレン水貯留部が備えられている点にある。
【０００９】
本構成によれば、ドレン水使用部にて１度に使用するドレン水の量が、エネルギー機器から発生するドレン水を垂れ流す形態では不足する場合でも、必要水量をドレン水貯留部に貯留した上でドレン水使用部に供給することができ、ドレン水使用部にてドレン水を適切に使用することができる。
また、ドレン水貯留部にドレン水を貯留することで、一定時間毎や必要となるタイミング毎等の所望のタイミングでドレン水使用部にドレン水を供給することが可能となり、ドレン水使用部にてドレン水を所望のタイミングで使用することができる。
【００１０】
本発明の第３特徴構成は、前記エネルギー機器と前記ドレン水使用部とが、屋外空間に配置され、
前記ドレン水供給部が、屋内空間を経由せずに前記エネルギー機器から発生するドレン水を前記ドレン水使用部に供給するように構成されている点にある。
【００１１】
本構成によれば、エネルギー機器でのドレン水の発生からドレン水使用部でのドレン水の使用までの全てを集合住宅のバルコニーやその周り等の建物の屋外空間で完結させることができる。よって、建物の屋内空間で水漏れが生じるなどの危険性が無く、エネルギー機器から発生するドレン水をドレン水使用部にて安全に使用することができる。
【００１２】
本発明の第４特徴構成は、前記ドレン水貯留部の貯留水を取り出し可能な非常用取水栓が備えられている点にある。
【００１３】
本構成によれば、断水時等の非常時に非常用取水栓からドレン水貯留部の貯留水を取り出して有効に利用することができる。よって、集合住宅等の建物の居住継続性能を向上させることができる。
【００１４】
本発明の第５特徴構成は、前記エネルギー機器が燃料電池である点にある。
【００１５】
つまり、燃料電池は、燃料ガス中の水素と空気中の酸素とを電気化学反応させて電気を取り出すものであり、運転時に水素と酸素の電気化学反応で生成されるドレン水が発生する。しかも、燃料電池は、電気が１年を通じて住人に利用され、更に、蓄電や売電も可能であることから、１日当たりの運転時間が長い状態で１年を通じて運転される場合が多い。よって、この燃料電池からは、１日当たりの発生量が比較的多い状態で１年を通じてドレン水が発生する。
本構成によれば、このような燃料電池をドレン水の供給元とし、当該燃料電池から発生するドレン水をドレン水供給部にてドレン水使用部に供給するので、ドレン水使用部にて使用するドレン水の量を適切に確保することができ、例えば、ドレン水の利用形態の多様化等を図ることができる。
【００１６】
本発明の第６特徴構成は、前記ドレン水供給部は、前記エネルギー機器から発生するドレン水の全量又は略全量を前記ドレン水使用部に供給するように構成されている点にある。
【００１７】
本構成によれば、エネルギー機器から発生するドレン水の排水処理が不要となるので、建物の外壁際等に設けられる排水竪管を削減することが可能となり、タワーマンション等の建物の外観をすっきりさせて意匠性を向上することができる。
【図面の簡単な説明】
【００１８】
【図１】第１実施形態のドレン水利用システムの概略構成を示す図
【図２】第２実施形態のドレン水利用システムの概略構成を示す図
【発明を実施するための形態】
【００１９】
本発明に係るドレン水利用システムの実施形態を図面に基づいて説明する。
〔第１実施形態〕
図１は、第１実施形態のドレン水利用システムＳの概略構成を示す図であり、タワーマンション等の集合住宅Ｔ（建物の一例）の屋外空間Ｏへの設置例として、住戸に付設されたバルコニーＢ、及び、当該バルコニーＢから外面にアクセス不能な前記住戸の窓Ｗを有する部位への設置例を模式的に示している。本例では、窓Ｗは、外面にアクセス可能な他のバルコニーや日射を遮蔽可能な庇等が無い窓となっている。
この第１実施形態のドレン水利用システムＳは、集合住宅Ｔの屋外空間Ｏに備えられた機器１から発生するドレン水ＤＷを、集合住宅Ｔの屋外空間Ｏで使用するシステムとして構成されている。
【００２０】
ドレン水利用システムＳは、ドレン水ＤＷを使用するドレン水使用部３と、前記機器１から発生するドレン水ＤＷをドレン水使用部３に供給するドレン水供給部２とを備えて構成され、機器１から発生するドレン水ＤＷをドレン水供給部２にてドレン水使用部３に供給し、その供給されたドレン水ＤＷをドレン水使用部３にて使用するように構成されている。
【００２１】
ドレン水ＤＷの供給元となる機器１は、屋外空間ＯとしてバルコニーＢの内部に設置され、ドレン水ＤＷの供給先となるドレン水使用部３は、屋外空間Ｏとして窓Ｗの近傍の外壁際に設置されている。
ドレン水供給部２は、屋外空間ＯとしてバルコニーＢの内部から窓Ｗの近傍の外壁際に亘る部位に設置され、機器１から発生するドレン水ＤＷの全量又は略全量を室内等の屋内空間を経由せずにドレン水使用部３に供給するように構成されている。
このようにすることで、機器１でのドレン水ＤＷの発生からドレン水使用部３でのドレン水ＤＷの使用までの全てが集合住宅Ｔの屋外空間Ｏで完結させることができる。よって、集合住宅Ｔの屋内空間で水漏れ等の不具合が生じる危険性が無く、機器１から発生するドレン水ＤＷを安全に使用することができる。
【００２２】
ドレン水ＤＷの供給元となる機器１は、天然ガス系都市ガスやプロパンガス等の燃料ガスを反応させてエネルギーを取り出し、そのエネルギーの取り出し過程でドレン水ＤＷが発生するエネルギー機器としており、本例では、屋内空間に給湯する潜熱回収型ガス給湯器１Ａ、及び、発電して屋内空間に供給する燃料電池１Ｂとしている。
【００２３】
潜熱回収型ガス給湯器１Ａは、給湯熱効率の高い給湯器であり、省エネルギーなエネルギー機器として一般家庭に普及している。潜熱回収型ガス給湯器１Ａは、燃料ガスを燃焼反応させ、その燃焼熱（顕熱）によって給湯用給水を加熱して給湯する際に、加熱後の燃焼排気が有する熱（残留顕熱及び潜熱）を回収して給湯用給水を予備加熱するように構成されている。
【００２４】
この潜熱回収型ガス給湯器１Ａの運転時には、潜熱の回収の際に主として燃焼排気中の水蒸気が凝縮されてドレン水ＤＷが発生する。また、お湯は１年を通じて住人に利用されることから、潜熱回収型ガス給湯器１Ａは１年を通じて運転されることになる。よって、この潜熱回収型ガス給湯器１Ａからは、１年を通じてドレン水ＤＷが発生する。
【００２５】
燃料電池１Ｂも、省エネルギーなエネルギー機器として一般家庭に普及している。燃料電池１Ｂは、燃料ガスを改質反応させて水素を取り出し、その水素と空気中の酸素とを電気化学反応させて電気を取り出すように構成されている。なお、燃料電池１Ｂは、固体高分子形燃料電池（ＰＥＦＣ）や固体酸化物形燃料電池（ＳＯＦＣ）、リン酸形燃料電池（ＰＡＦＣ）、溶融炭酸塩形燃料電池（ＭＣＦＣ）等の各種のものであってもよい。
【００２６】
この燃料電池１Ｂの運転時には、水素と酸素の電気化学反応等で生成される水蒸気が凝縮されてドレン水ＤＷが発生する。また、電気は１年を通じて住人に利用され、更に、蓄電や売電も可能であることから、燃料電池１Ｂは、１日当たりの運転時間が長い状態で１年を通じて運転されることになる。よって、この燃料電池１Ｂからは、１日当たりの発生量が比較的多い状態で１年を通じてドレン水ＤＷが発生する。
【００２７】
つまり、このドレン水利用システムＳは、１年を通じてドレン水ＤＷが発生する潜熱回収型ガス給湯器１Ａ、及び、１日当たりの発生量が比較的多い状態で１年を通じてドレン水ＤＷが発生する燃料電池１Ｂをドレン水ＤＷの供給元となる機器１としているので、ドレン水ＤＷの供給先となるドレン水使用部３にて１年を通じてドレン水ＤＷを使用することができるとともに、ドレン水ＤＷの量を適切に確保してドレン水ＤＷの利用形態の多様化を図ることができる。
【００２８】
更に、このドレン水利用システムでは、１年を通じてドレン水ＤＷが発生する潜熱回収型ガス給湯器１Ａ、及び、１日当たりの発生量が比較的多い状態で１年を通じてドレン水ＤＷが発生する燃料電池１Ｂから発生するドレン水ＤＷの全量又は略全量をドレン水使用部３に供給するので、潜熱回収型ガス給湯器１Ａ、及び、燃料電池１Ｂから発生するドレン水ＤＷの排水処理が不要となり、潜熱回収型ガス給湯器１Ａや燃料電池１Ｂを各住戸に設置する場合でも、集合住宅Ｔの外壁際等に設けられる排水竪管を削減し、集合住宅Ｔの外観の意匠性を向上することができる。
【００２９】
ドレン水供給部２は、経路中間部でドレン水ＤＷを貯留可能なドレン水貯留部２Ｃを備えるとともに、潜熱回収型ガス給湯器１Ａからドレン水貯留部２Ｃに至る第１供給路２Ａ、燃料電池１Ｂからドレン水貯留部２Ｃに至る第２供給路２Ｂ、ドレン水貯留部２Ｃからドレン水使用部３に至る第３供給路２Ｄ等を備えて構成されている。
ドレン水供給部２は、潜熱回収型ガス給湯器１Ａ及び燃料電池１Ｂで発生するドレン水ＤＷの全量又は略全量を第１供給路２Ａ及び第２供給路２Ｂを通じてドレン水貯留部２Ｃに貯留し、その貯留水を、第３供給路２Ｄを通じてドレン水使用部３に供給するように構成されている。本例では、ドレン水貯留部２Ｃは、バルコニーＢの内部に設置されている。
【００３０】
潜熱回収型ガス給湯器１Ａは、運転時に発生するドレン水ＤＷを受けるドレンパン等のドレン受け部（図示省略）、当該ドレン受け部内のドレン水ＤＷを所定のタイミングで排出するドレンポンプＰ１等を備えて構成されており、潜熱回収型ガス給湯器１Ａから発生するドレン水ＤＷは、ドレンポンプＰ１の動力により第１供給路２Ａを通じてドレン水貯留部２Ｃに自動的に供給される。
【００３１】
また、燃料電池１Ｂは、運転時に発生するドレン水ＤＷを受けるドレンタンク等の比較的大型のドレン受け部（図示省略）、当該ドレン受け部内のドレン水ＤＷを所定のタイミングで排出するドレンポンプＰ２等を備えて構成されており、燃料電池１Ｂから発生するドレン水ＤＷは、ドレンポンプＰ２の動力により第２供給路２Ｂを通じてドレン水貯留部２Ｃに自動的に供給される。
【００３２】
ドレン水貯留部２Ｃは、貯留水を送出するポンプＰ３を備えて構成されている。ドレン水貯留部２Ｃに貯留されたドレン水ＤＷは、ポンプＰ３の動力によりドレン水使用部３に供給される。ポンプＰ３は、タイマーや制御装置等による作動制御により、所定時間毎にドレン水使用部３にドレン水ＤＷを供給するように構成されている。
【００３３】
また、ドレン水貯留部２Ｃの近傍には、取水路４を通じてドレン水貯留部２Ｃの貯留水を取り出し可能な非常用取水栓５が備えられている。断水時等の非常時に非常用取水栓５からドレン水貯留部２Ｃの貯留水を取り出して有効に利用することができる。
なお、ドレン水貯留部２Ｃには、ポンプＰ３が故障して停止した場合等に貯留水をオーバーフローさせて排水する排水路６が接続されている。
【００３４】
ドレン水使用部３は、本例では、集合住宅Ｔの外壁際における窓Ｗの上方部位に散水器３Ａを設置して構成され、ドレン水供給部２を通じて供給されたドレン水ＤＷを散水器３Ａにて窓Ｗの外面に上方から散水して使用するように構成されている。
【００３５】
前述したように、窓Ｗは、外面にアクセス可能なバルコニー等が無いので、定期的なゴンドラによる清掃に依存する清掃頻度の少ない窓となっている。そのため、この散水器３Ａにて窓Ｗの外面にドレン水ＤＷを所定時間毎に散水することで、窓Ｗの汚れを落とすことができ、ゴンドラによる清掃頻度を低減し、維持管理コストを削減することができる。
【００３６】
また、窓Ｗは、日射を遮蔽可能な庇が無いので、夏場に高熱化して屋内空間の冷房負荷が増大し易い窓となっている。そのため、散水器３Ａにて窓Ｗの外面にドレン水ＤＷを所定時間毎に散水することで、ドレン水ＤＷの蒸発潜熱で吸熱して窓Ｗを冷却することができ、夏季の冷房負荷を低減して空調の省エネルギー化を図ることができる。
【００３７】
〔第２実施形態〕
図２は、第２実施形態のドレン水利用システムＳの概略構成を示す図である。この第２実施形態のドレン水利用システムＳは、ドレン水使用部３とドレン水供給部２の具体的構成が第１実施形態と相違するので、第１実施形態と同一の構成には同一の番号を付記して説明を省略し、相違する部位を中心に説明する。
【００３８】
この第２実施形態のドレン水利用システムＳは、複数のドレン水使用部３を備えて構成されている。各ドレン水使用部３は、住人が生活で使用する住宅設備機器としており、例えば、屋内空間としての室内に設置されたロータンク式便器３Ｂ、及び、屋外空間としてのバルコニー等に設置されたスロップシンク３Ｃとしている。
ロータンク式便器３Ｂでは、ドレン水供給部２により供給されるドレン水ＤＷを便器に付属するタンクに貯留し、便器の洗浄水としてドレン水ＤＷを使用することができる。
また、利用頻度が低いことが多いスロップシンク３Ｃでは、ドレン水供給部２により供給されたドレン水ＤＷを排水部に流し、排水部に備えられた封水トラップ９の封水切れを防止する封水補充水としてドレン水ＤＷを使用することができる。
【００３９】
そして、ドレン水供給部２は、ロータンク式便器３Ｂとスロップシンク３Ｃの両方にドレン水ＤＷを供給するように構成されている。本例では、ドレン水供給部２は、ロータンク式便器３Ｂの側にドレン水ＤＷを供給する第１供給状態と、スロップシンク３Ｃの側にドレン水ＤＷを供給する第２供給状態とを切り替え可能に構成されている。
【００４０】
ドレン水供給部２は、経路中間部でドレン水ＤＷを貯留可能なドレン水貯留部２Ｇを備えるとともに、潜熱回収型ガス給湯器１Ａから燃料電池１Ｂに至る第４供給路２Ｅ、燃料電池１Ｂからドレン水貯留部２Ｇに至る第５供給路２Ｆ、ドレン水貯留部２Ｇからロータンク式便器３Ｂに至る第６供給路２Ｈ、第５供給路２Ｆから分岐してスロップシンク３Ｃに至る第７供給路２Ｊ等を備えて構成されている。
【００４１】
ドレン水供給部２は、第４供給路２Ｅを通じて潜熱回収型ガス給湯器１Ａで発生するドレン水ＤＷを燃料電池１Ｂのドレン受け部に供給し、潜熱回収型ガス給湯器１Ａで発生するドレン水ＤＷと燃料電池１Ｂで発生するドレン水ＤＷを合流させるように構成されている。ここで、潜熱回収型ガス給湯器１Ａで発生するドレン水ＤＷは、潜熱回収型ガス給湯器１ＡのドレンポンプＰ１の動力により第４供給路２Ｅを通じて燃料電池１Ｂのドレン受け部に自動的に供給にされる。
【００４２】
そして、ドレン水供給部２は、ドレン水使用部３としてのロータンク式便器３Ｂに対しては、潜熱回収型ガス給湯器１Ａ及び燃料電池１Ｂで発生するドレン水ＤＷを、第５供給路２Ｆを通じてドレン水貯留部２Ｇに供給して貯留し、その貯留水を、第６供給路２Ｈを通じて供給するように構成されている。ここで、燃料電池１Ｂのドレン受け部内のドレン水ＤＷ（潜熱回収型ガス給湯器１Ａ及び燃料電池１Ｂで発生するドレン水ＤＷ）は、燃料電池１ＢのドレンポンプＰ２の動力により、第５供給路２Ｆを通じてドレン水貯留部２Ｇに自動的に供給される。
【００４３】
ドレン水貯留部２Ｇは、ロータンク式便器３Ｂよりも高位に設置されている。また、ロータンク式便器３Ｂは、タンクの給水部にボールタップ等を備えて構成され、タンク内の貯留水位が標準水位よりも低下した場合にボールタップの弁が開状態となり、タンク内への給水が開始されるように構成されている。
そのため、ロータンク式便器３Ｂにて洗浄水が使用される等により、タンク内の水位が標準水位よりも低下してボールタップの弁が開状態になると、高位側のドレン水貯留部２Ｇから低位側のロータンク式便器３Ｂのタンク内にドレン水ＤＷが自動的に供給され、ロータンク式便器３Ｂの洗浄水が補充される。
【００４４】
更に、ドレン水貯留部２Ｇは、貯留水の水位を計測する水位センサ８が備えられているとともに、集合住宅Ｔの給水系統から給水可能な給水路７が接続されており、第５供給路２Ｆからドレン水ＤＷが供給されない場合やドレン水ＤＷの供給量が不足する場合でも、集合住宅Ｔの給水系統から給水してドレン水貯留部２Ｇの貯留水位を低水位側の設定水位Ｌ１は維持するように構成されている。
【００４５】
具体的には、ドレン水利用システムＳは、制御装置等による作動制御等により、水位センサ８による計測水位が低水位側の設定水位Ｌ１以上である場合には、給水路７に備えられた開閉弁Ｖ３を閉状態にし、水位センサ８による計測水位が低水位側の設定水位Ｌ１未満の場合には、給水路７に備えられた開閉弁Ｖ３を開状態にし、集合住宅Ｔ内の給水系統から給水路７を通じてドレン水貯留部２Ｇに給水するように構成されている。
そのため、潜熱回収型ガス給湯器１Ａや燃料電池１Ｂの故障等により、ドレン水貯留部２Ｇにドレン水ＤＷが供給されない場合やドレン水貯留部２Ｇへのドレン水ＤＷの供給量が不足する場合でも、ロータンク式便器３Ｂのタンク内への洗浄水の補給を適切に行うことができる。
【００４６】
なお、第６供給路２Ｈには、ドレン水貯留部２Ｃの貯留水をオーバーフローさせて排水可能な排水路２ａが備えられている。ドレン水貯留部２Ｃのオーバーフロー水は、ロータンク式便器３Ｂのタンク内に供給され、オーバーフロー等により当該タンク内の排水部から適宜に排水される。
【００４７】
ドレン水供給部２は、ドレン水使用部３としてのスロップシンク３Ｃに対しては、潜熱回収型ガス給湯器１Ａ及び燃料電池１Ｂで発生するドレン水ＤＷを、第５供給路２Ｆの上流側、及び、第７供給路２Ｊを通じて供給するように構成されている。
ここで、燃料電池１Ｂのドレン受け部内のドレン水ＤＷ（潜熱回収型ガス給湯器１Ａ及び燃料電池１Ｂで発生するドレン水ＤＷ）は、燃料電池１ＢのドレンポンプＰ２の動力により、第５供給路２Ｆの上流側、及び、第７供給路２Ｊを通じてスロップシンク３Ｃに自動的に供給される。
【００４８】
更に、このドレン水供給部２には、第５供給路２Ｆを通じてロータンク式便器３Ｂ側のドレン水貯留部２Ｇにドレン水ＤＷを供給する前記第１供給状態と、第５供給路２Ｆの上流側及び第７供給路２Ｊを通じてスロップシンク３Ｃにドレン水ＤＷを供給する前記第２供給状態とを切り替える切替手段２Ｋが備えられている。ドレン水利用システムＳは、例えば、制御装置（図示省略）による作動制御等により、切替手段２Ｋを制御してドレン水供給部２を第１供給状態と第２供給状態とを切り替えるように構成されている。
【００４９】
切替手段２Ｋは、第１供給状態と第２供給状態とを切替可能な各種の構成を採用することができるが、例えば、第５供給路２Ｆにおける第７供給路２Ｊの分岐部の下流側、及び、第７供給路２Ｊに開閉弁Ｖ１、Ｖ２を備えて構成されている。開閉弁Ｖ１を開状態、開閉弁Ｖ２を閉状態とすることで、ドレン水供給部２を第１供給状態とし、開閉弁Ｖ１を閉状態、開閉弁Ｖ２を開状態とすることで、ドレン水供給部２を第２供給状態とすることができる。なお、切替手段２Ｋは、第５供給路２Ｆから第７供給路２Ｊが分岐する分岐部に三方弁を設けて構成することもできる。
【００５０】
この第１供給状態と第２供給状態との切り替えのタイミングは、ドレン水利用システムＳの設置環境や具体的構成等に応じた適宜のタイミングを設定することができる。
例えば、水位センサ８による計測水位が高水位側の設定水位未満である場合には、ドレン水供給部２を第１供給状態としてロータンク式便器３Ｂ側のドレン水貯留部２Ｇにドレン水ＤＷを供給し、他方、水位センサ８による計測水位が高水位側の設定水位以上である場合には、ドレン水供給部２を第２供給状態としてスロップシンク３Ｃにドレン水ＤＷを供給するようにしてもよい。このようにすれば、過剰にドレン水貯留部２Ｇにドレン水ＤＷを貯留することを防止してドレン水ＤＷを有効に使用することができる。
【００５１】
また、これに代えて、又は、これに加えて、スロップシンク３Ｃの封水トラップ９で封水切れが生じる危険性のある所定の期間毎に、ドレン水供給部２を第２供給状態にしてスロップシンク３Ｃにドレン水ＤＷを供給するようにしてもよい。このようにすれば、スロップシンク３Ｃの封水トラップ９で封水切れが生じるのを適切に回避することができる。
【００５２】
〔別実施形態〕
（１）前述の実施形態では、潜熱回収型ガス給湯器１Ａ、及び、燃料電池１Ｂから発生するドレン水ＤＷをドレン水供給部２にてドレン水使用部３に供給する場合を例に示したが、潜熱回収型ガス給湯器１Ａ、及び、燃料電池１Ｂのいずれか一方から発生するドレン水ＤＷをドレン水供給部２にてドレン水使用部３に供給するように構成してもよい。
【００５３】
（２）ドレン水ＤＷの供給元とする機器１は、前述の実施形態で示した潜熱回収型ガス給湯器１Ａや燃料電池１Ｂに限らず、燃料ガスを反応させてエネルギーを取り出し、そのエネルギーの取り出し過程でドレン水ＤＷが発生する各種のエネルギー機器とすることができる。
【００５４】
（３）前述の実施形態では、ドレン水供給部２にドレン水貯留部２Ｃ、２Ｇが備えられている場合を例に示したが、ドレン水貯留部２Ｃ、２Ｇは、機器１から発生するドレン水ＤＷの量やドレン水使用部３でのドレン水ＤＷの使用形態等に応じて適宜に省くことができる。
【００５５】
（４）本発明のドレン水利用システムＳは、前述の実施形態で示した集合住宅Ｔに限らず、燃料ガスを反応させてエネルギーを取り出し、そのエネルギーの取り出し過程でドレン水ＤＷが発生するエネルギー機器を設置する各種の建物に好適に用いることができる。
【符号の説明】
【００５６】
Ｓ          ドレン水利用システム
Ｔ          集合住宅（建物）
Ｏ          屋外空間
ＤＷ        ドレン水
１          機器
１Ａ        潜熱回収型ガス給湯器（エネルギー機器）
１Ｂ        燃料電池（エネルギー機器）
２          ドレン水供給部
２Ｃ，２Ｇ  ドレン水貯留部
３          ドレン水使用部
５          非常用取水栓
【図１】
2018181603.tif 000003
【図２】
2018181603.tif 000004